(57)【要約】【課題】  携帯電話等の電話番号が記憶された外部機器の電話帳に登録されている電話番号に対応する地点をユーザに負担をかけることなくナビゲーション装置のような地図表示システムに登録できるようにする。【解決手段】  電話番号等が記憶された外部機器に接続する接続手段と、前記接続手段に外部機器が接続されたことを検出すると携帯電話と通信を行なって外部機器の電話帳データを読み込んで所定のメモリ領域に記録する電話帳データ記録手段と、電話番号や住所に対応した地点情報を格納した地点検索データベースから前記外部機器の電話帳データに含まれる電話番号や住所に該当する地点情報を抽出する抽出手段と、前記外部機器の電話番号や住所を含む電話帳データと前記抽出手段にて抽出した地点情報とを予め設けられた地点登録用のメモリ領域に格納する地点登録手段を設けた。【選択図】  図３
2006023211.tif 000002
【特許請求の範囲】
【請求項１】
少なくとも電話帳データを記憶した外部機器と接続される接続手段と、
書き込み／読み出し可能な記憶手段と、
地点登録用の書き込み／読み出し可能な地点記憶手段と、
前記接続手段に前記外部機器が接続されたことを検出すると前記外部機器と通信を行なって前記外部機器の電話帳データを読み込んで前記記憶手段のメモリ領域に転送する電話帳データ転送手段と、
電話番号或いは住所に対応した地点情報を格納した地点検索データベースから前記外部機器の電話帳データに含まれる固定電話番号或いは住所に該当する地点情報を抽出する抽出手段と、
前記外部機器の電話帳データのうち少なくとも前記固定電話番号或いは住所と前記抽出手段にて抽出した地点情報とを前記地点登録記憶手段のメモリ領域に格納する地点登録手段と
を備えたこと特徴とする地図表示システム。
【請求項２】
携帯電話を接続する接続手段と、
書き込み／読み出し可能な記憶手段と、
地点登録用の書き込み／読み出し可能な地点記憶手段と、
前記接続手段に携帯電話が接続されたことを検出する接続検出手段と、
前記接続検出手段にて携帯電話が接続されたことを検出すると携帯電話と通信を行なって前記携帯電話の電話番号を取得する手段と、
前記携帯電話から電話帳データを読み出す電話帳データ取得手段と、
読み出した電話帳データを前記記憶手段の所定メモリ領域に格納する電話帳データ格納手段と、
電話番号や住所に対応した地点情報を格納した地点検索データベースと、
前記地点検索データベースから前記電話帳データに含まれる固定電話の番号や住所に該当する地点情報を抽出する抽出手段と、
前記固定電話番号や住所を含む電話帳データと前記抽出手段にて抽出した地点情報とを前記地点登録記憶手段のメモリ領域に格納する地点登録手段と
を備えることを特徴とする地図表示システム。
【請求項３】
少なくとも電話番号とこの電話番号に関連付けられた付随情報からなる電話帳データを記憶した外部機器と接続される接続手段と、
書き込み/読み出し可能な一時記憶手段と、
地点登録用の書き込み/読み出し可能な地点記憶手段と、
前記接続手段に前記外部機器が接続されたことを検出すると前記外部機器と通信を行なって前記外部機器の電話帳データを読み込んで前記一時記憶手段のメモリ領域に転送する電話帳データ転送手段と、
電話番号や住所に対応した地点情報を格納した地点検索データベースと、
前記地点検索データベースから前記電話帳データに含まれる固定電話番号或いは住所に該当する地点情報を抽出する抽出手段と、
少なくとも前記固定電話番号或いは住所、前記固定電話番号或いは住所と関連付けられた付随情報及び前記抽出手段にて抽出した地点情報とを前記地点登録記憶手段のメモリ領域に格納する地点登録手段と、
を備えることを特徴とするナビゲーション装置。
【発明の詳細な説明】
【技術分野】
【０００１】
本発明は電話番号或いは住所情報を記憶した外部機器から転送される電話番号或いは住所情報から定まる所望地点の位置情報と共に、この地点に関連する付随情報を登録することができる地図表示システムに関するものである。
【背景技術】
【０００２】
地図表示システム、例えば現在普及しているナビゲーション装置においては、タッチパネル等から入力される電話番号或いは住所からこれに該当する地点を検索してその地点を含む地図を表示し、更にその地点を登録したり目的地として設定したりできるようになっている。
【０００３】
そして、検索にあたって電話番号を入力する場合や検索された地点に関する情報を登録する場合には、タッチパネルを兼ねた表示画面に数字キーや５０音の文字、アルファベットを表示させ、該当する文字や数字に対応したタッチパネルを１文字づつ指で指定して入力する方法等が使われている。
【０００４】
一方、現在の携帯電話には内蔵したメモリに電話番号自身の他にその電話番号に関連する情報として個人名や店舗名といった名称の他、その読みかな、Ｅメールアドレス、住所等といった付随情報も電話帳データとして登録できるようになっている。
ところが、このような携帯電話を有するユーザが携帯電話に登録した電話番号が示す目的地に車で行きたい場合、わざわざ携帯電話のメモリに構築した電話帳データベースから電話帳を携帯電話の表示画面上に呼び出し、この電話帳を見ながらナビゲーション装置にタッチパネル等を介して電話番号を入力して検索しなければならなかった。
【０００５】
こうした煩わしさを解消する方法として、特開２０００−２０５８８２号公報（特許文献１）には携帯電話をナビゲーション装置に接続し、この接続された携帯電話に記憶されている電話帳データベースから携帯電話の表示画面に電話帳を読み出して表示し、この中から所望の電話番号を選択してナビゲーション装置へ送出することが提案されている。
これにより、ナビゲーション装置自身が有する電話帳データベースから携帯電話で選択された電話番号に対応する地点を検索し、この地点を目的地として登録した後に誘導ルートを計算して目的地まで案内を行なうものである。
【０００６】
ところが、この方法では携帯電話をナビゲーション装置に接続した後に携帯電話を操作して携帯電話の表示画面に電話帳を表示させ、その中から所望の電話番号を探すといった操作を携帯電話の画面を見て行なわなければならず、いくつかの電話番号に対応する地点をナビゲーション装置に登録したい場合にはこの操作を繰り返し行なわなければならないといった煩わしさがあった。
また、携帯電話の小さな画面を見て上記した操作を行なわなければならず、使い勝手が悪いという課題も有していた。
【特許文献１】特開２０００−２０５８８２号公報
【発明の開示】
【発明が解決しようとする課題】
【０００７】
こうした問題点を鑑み、本発明の目的はユーザに負担をかけることなく外部機器、例えば携帯電話等のメモリに構築された電話帳データに記憶されている電話番号や住所情報に対応する地点の登録を行なうことができる地図表示システムを提供することにある。
【課題を解決するための手段】
【０００８】
本発明の特徴はナビゲーション装置のような地図表示システムに携帯電話等の外部機器との接続部を設け、この接続部に外部機器が接続されると外部機器と通信を行なって外部機器から電話帳データを所定のメモリ領域に転送して記憶させ、この記憶された電話帳データを１つずつ読み出し電話帳データに含まれる固定電話番号或いは住所に対応する地点情報を地図表示システムの地点検索用データベースから抽出し、少なくとも固定電話番号或いは住所と抽出した地点情報とを予め設けられた地点登録用のメモリ領域に格納するものである。
【発明の効果】
【０００９】
以上説明したような処理を行なうことで、接続された外部機器に登録されている電話帳データに対応する地点の登録が行なわれる。
また、電話番号だけでなくメールアドレスや画像データなど電話帳データとして登録した付随情報が地点情報と関連づけられて記録されている場合には、登録した地点を確認するときにこのような付随情報を利用することができる。
例えば、地図上でその地点を指定すると関連づけられた画像データを表示するといったことができる。
【発明を実施するための最良の形態】
【００１０】
本発明の最良の実施形態は、
携帯電話を接続する接続手段と、書き込み／読み出し可能な記憶手段と、地点登録用の書き込み／読み出し可能な地点記憶手段と、前記接続手段に携帯電話が接続されたことを検出する接続検出手段と、前記接続検出手段にて携帯電話が接続されたことを検出すると携帯電話と通信を行なって前記携帯電話の電話番号を取得する手段と、前記携帯電話から電話帳データを読み出す電話帳データ取得手段と、読み出した電話帳データを前記記憶手段の所定メモリ領域に格納する電話帳データ格納手段と、電話番号や住所に対応した地点情報を格納した地点検索データベースと、前記地点検索データベースから前記電話帳データに含まれる固定電話の番号や住所に該当する地点情報を抽出する抽出手段と、前記固定電話番号や住所を含む電話帳データと前記抽出手段にて抽出した地点情報とを前記地点登録記憶手段のメモリ領域に格納する地点登録手段とを備えた地図表示システムにある。
【実施例１】
【００１１】
以下本発明の実施形態を図面に基づき詳細に説明する。
図１に本発明の地図表示システムの１つであるナビゲーション装置１と携帯電話２との接続例を示している。
図にある通り、携帯電話２は本体にＵＳＢ（Universal Serial Bus）端子４ａを持っており、同様にナビゲーション装置１にもＵＳＢ端子４ｂを備えており、両者はＵＳＢケーブル３にて接続される。
【００１２】
尚、ＵＳＢケーブル３を使用しなくてもナビゲーション装置1に設けた携帯電話挿入用のスロットに携帯電話を挿入してＵＳＢケーブル３と同等の働きをさせても良いし、更にブルートウース(Ｂｌｕｅ−Ｔｏｏｔｈ)や赤外線等を使った無線方式で接続するようにしても良い。
【００１３】
図２に地図表示装置の１つであるナビゲーション装置１の内部構成例を示している。
ナビゲーション装置１は演算処理部１０、外部記憶装置２０、センサ部３０、表示部４０、ＧＰＳ受信部５０、入出力部６０等から構成されている。
演算処理部１０はＣＰＵ(Central Processing Unit)１１、Flash ＲＯＭ(Read Only  Memory)１２、ＲＡＭ（Random Access Memory）１３から構成されている。
もちろん演算処理部１０を構成する要素はこれら以外にもあるが、本発明の説明に関連のない構成要素の図示は省略してある。
【００１４】
ＣＰＵ１１は後述するアプリケーションプログラムを実行するほか、種々の演算をするために用いられる。
例えばセンサ部３０やＧＰＳ（Global Positioning System）信号受信部５０からの情報に基づいて車両の現在位置を算出し、算出した現在位置情報から表示に必要な地図情報を外部記憶装置２０から読み出して現在位置とともに表示部４０に表示する。
【００１５】
記憶装置１２はナビゲーション装置1の各種機能のアプリケーションプログラムやその演算に必要なデータ或いは接続された携帯電話２の固有情報などを記憶しておく書き込み/読み出し可能な記憶手段で、ここではFlash ＲＯＭ１２を用いているがこれと同等の機能を有するＥＰＲＯＭ等であってもよい。
【００１６】
ＲＡＭ１３は演算処理中の作業エリアとして使用したり、地図データや電話番号等の種々の検索データを一時記憶したりするための書き込み/読み出し可能な一時次記憶手段である。
【００１７】
外部記憶装置２０は地図データ、道路種別、道路データを構成するノードやリンク構成情報等の経路計算用道路データ、座標値、電話番号及びこれの付随情報、住所等の施設情報等のナビゲーション処理に必要な情報をデータベースとして記憶している。
そして、外部記憶装置２０は前述した情報を記憶しているＤＶＤ(Digital Versatile Disk)２３が挿入されるＤＶＤドライブ２１及びＨＤＤ(Hard Disk Drive)２２の一方或いは両方の組み合わせで構成されている。
【００１８】
センサ部３０は方位センサ３１、ジャイロ３２、車輪速センサ３３を備え、車輪速センサ３３は車輪の回転に伴って出力されるパルス信号をカウンタ３５により計数することにより移動体の走行距離を検出する。この走行距離信号は内部バス７０を介して演算処理部１０に送られる。
【００１９】
方位センサ３１は地球が有している磁場を検出して移動体の向きを検出し、また、ジャイロ３２は光ファイバジャイロや振動ジャイロ等が用いられ、移動体が回転した角度を検出する。
これらの方位センサ３１及びジャイロ３２の検出信号はアナログーディジタル変換器（Ａ／Ｄ）３４によりディジタル信号に変換されて内部バス７０を介して演算処理部１０に送られる。
【００２０】
ＧＰＳ信号受信部５０はGPSアンテナ５４を介してＧＰＳ衛星からの信号を受信し、移動体と衛星との間の距離および距離の変化率を測定することにより、移動体の現在位置、進行方向および進行方位を測定するもので、これらの測定データはＳＣＩ５２から内部バス７０を介して演算部１０に送られる。
【００２１】
表示部４０は表示ドライバ４１、コントローラ４３、バッファ４４等よりなる表示制御手段及び液晶パネルやＣＲＴ等の表示装置４２から構成され、内部バス７０を介して演算処理部１０から送られてくるデータをバッファ４４に格納し、これに基づいて表示装置４２に地図、誘導ルート、自車位置などを表示させるものである。
【００２２】
入出力部６０はユーザによる指示を受け付けるハードスイッチやジョグスイッチなどで構成されるＫｅｙ ＰＡＤ６２、ユーザの操作するリモコン６５からの光信号を受信するリモコン受光部６１、演算処理部１０が生成したユーザへのメッセージをスピーカ（ＳＰ）６６で音声信号に変換すると共にマイク６８を介して入力される音声信号を取り込んで信号変換するＣＯＤＥＣ６３等により構成されている。
これらはＰＩＯ６４及び内部バス７０を介して演算処理部１０とデータのやり取りが実行される。
【００２３】
ＵＳＢコントローラ８０は本実施例の携帯電話２のようなＵＳＢ端子４ａを持つ外部機器へ送信するデータを通信に適した信号に変換したり、受信した信号を内部で処理するのに適した信号に変換したりするものである。
更にナビゲーション装置１の端子４ｂでの端子電圧の変化をＣＰＵ１１で監視することにより外部機器の接続有無の検出を行なっており、外部機器が接続された場合には割り込み信号としてＣＰＵ１１に内部バス７０を介して信号を伝送するようになっている。
尚、携帯電話以外の外部機器としては手のひらサイズの例えばパームコンピュータ等の情報機器が考えられ、この場合も電話帳や住所が内蔵されたメモリに記憶されている。
【００２４】
次に地図表示装置としてナビゲーション装置を使用した場合の携帯電話を接続してから電話帳データに対応した地点が登録されるまでの処理について、図３(a)及び図３(b)を用いて説明する。
まず、図３(a)においてユーザによりＵＳＢケーブル３を使って携帯電話２が接続されると、ＵＳＢコントローラ８０が携帯電話２の接続を検出してＣＰＵ１１に内部バス７０を介して割り込み信号として通知する。
この割り込み信号を受けたＣＰＵ１１はステップ１００(以下ステップをＳと表記するが、他のステップも同様の表記とする。)でＵＳＢ割り込み処理を開始する。
【００２５】
この割り込み処理Ｓ１００が起動されると、Ｓ１０２でまず接続された外部機器の種類を特定する。これは接続された機器に予め割り与えられている識別コードを要求し、そのコードにより種別を判定することができる。
次にＳ１０４でその識別コードが携帯電話のものでなかった場合（Ｓ１０４で“Ｎ”の場合）には本処理を抜けて識別コードに応じた別の処理へ移行する。
【００２６】
また、取得した識別コードが携帯電話２であった場合（Ｓ１０４で“Ｙ”の場合）には、Ｓ１０６で接続された携帯電話２に対して接続要求を出し、接続された携帯電話の電話番号などの固有情報を取得する為の初期接続処理を行なう。
Ｓ１０６での初期接続処理終了後にＳ１０８でＣＰＵ１１はＵＳＢコントローラ８０を制御して後述の通信フローに従って携帯電話２との間で通信を行ない携帯電話２のメモリから電話帳データを取得する。
【００２７】
このＳ１０８で取得した電話帳データは、Ｓ１１０で一旦ナビゲーション装置１のＲＡＭ１３に格納しておき、すべてのデータを取得した後に情報元の携帯電話番号、すなわち現在接続されている携帯電話の電話番号と取得日時情報を付加してナビゲーション装置１の電話帳データリストとしてＦｌａｓｈＲＯＭ１２に格納する。
【００２８】
次に、Ｓ１１２でデータ更新があったかどうかを確認してデータ更新が無かった場合(Ｓ１１２で“Ｎ”の場合)、すなわち前回の電話帳データと何ら変更が無かった場合には既にＦｌａｓｈＲＯＭ１２に電話帳データが記憶されているのでこの割込み処理Ｓ１００は終了される。
一方、Ｓ１１２でデータ更新があったかどうかを確認してデータ更新があった場合(Ｓ１１２で“Ｙ”の場合)、図３（ｂ）に示す地点登録処理に移行する。
尚、この地点登録処理は少なくとも(１)最初に携帯電話が接続されてナビゲーション装置１に電話帳データが記憶される場合と(２)データ変更があった場合に実行される。
【００２９】
次に、図３（ｂ）を用いて地点登録処理Ｓ２００について説明する。
まず、Ｓ２０２で前述の電話帳取得処理によってＦｌａｓｈＲＯＭ１２に格納した電話帳データから登録日時情報を読み、前回の登録日と比較して更新されていれば、電話帳データを１つずつ読み出す処理を実行する。ここで、もし登録日が同じであれば地点登録処理は行なわずに処理を終了するようにされている。
【００３０】
そして、Ｓ２０２で電話番号が読み出されるとＳ２０４で固定電話の電話番号が含まれているどうか判定する。
固定電話の電話番号かどうかは携帯電話やＰＨＳ、ＩＰ電話など固定電話以外の電話番号の特徴である３桁目の番号が“０”ではないかどうかで判定する。
つまり、３桁目の番号が“０”だった場合（Ｓ２０４で“Ｎ”の場合）には固定電話の電話番号ではないと判断してＳ２０６の処理に移行する。
【００３１】
Ｓ２０６では電話帳データの抽出がすべて終了したかどうか判定するものであり、このステップでまだ電話帳データが残っているのであれば、Ｓ２０２に戻って電話帳データから次の電話番号の抽出処理を行って電話帳データの抽出がすべて終了したかどうか判定する。ここで電話帳データの電話番号抽出がすべて終了し、すべて固定電話番号でないと判断された場合（Ｓ２０６で“Ｙ”の場合）にはこの地点登録処理を終了する。
【００３２】
また、抽出した電話番号が固定電話の電話番号であった場合（Ｓ２０４で“Ｙ”の場合）には、Ｓ２０８でハードディスク２２に格納されている地点検索用データベースを参照して電話番号に対応した地点を検索する地点検索処理を実行する。
【００３３】
Ｓ２０８の処理の後にＳ２１０で抽出した電話番号に対応するデータ、つまり対応する地点の座標値が存在するかどうかを判断する。そして対応するデータがあった場合（Ｓ２１０で“Ｙ”の場合）、Ｓ２１２で対応する地点の座標値を抽出した後、残りの電話帳データを読み出す処理を実行する。
【００３４】
最後にＳ２１４でＳ２１２の処理で読み出された電話番号及び座標値や地点名称等の地点情報を付随情報としてＦｌａｓｈＲＯＭ１２に格納する処理を実行する。
尚、Ｓ２１０で地点検索用データベースに該当する電話番号が見つからなかった場合（Ｓ２１０で“Ｎ”の場合）には、次の電話帳データを確認する為にＳ２０６へ戻り同様の処理を繰り返し実行する。
【００３５】
図４には本実施例のナビゲーション装置１における地点検索用データベースの構成を示している。
ここで１００は固定電話の電話番号、１０２は地点名称の読み、１０４は地点名称、例えば個人名や店舗名など地点に対する固有の地点名称、１０６は該地点の住所（実際には都道府県、市区町村などを示すコード）、１０８は該地点の経度及び緯度情報を示している。
【００３６】
図５には図３で示した携帯電話の電話帳データを使ってナビゲーション装置に地点登録する地点登録処理を実行し地点登録データの格納例を示している。
まず基本情報２００について説明する。
基本情報２００として登録地点ＩＤ２０２で登録された順番が格納されている。次いで登録地点の名称２０４、登録地点の座標値２０６、登録地点の電話番号２０８が格納されるが、これらはナビゲーション装置１の検索用データベースに登録されている名称、座標値及び電話番号が格納される。
【００３７】
また、地図上に登録地点であることを示すアイコンの種別２１０、基本情報２００以外に登録される追加情報の項目数２１２が格納される。
通常この追加情報は０が格納されるが、電話帳データの読み込みによって地点登録が行なわれると電話帳データに登録されている情報の数が記録される。図５の例では、追加された電話帳データの項目数として、携帯電話の電話番号と画像データの２つなので、２が格納される。
【００３８】
そしてそれ以降の部分に追加情報３００の内容が格納される。
追加情報３００の内容として、登録時に接続された携帯電話の電話番号と登録番号が追加情報ＩＤ３０２として格納され、携帯電話の電話番号、メールアドレス、住所、携帯電話で撮影した画像データなど追加情報の種別を示すコードが追加情報種別３０４に格納される。
なお、次の追加情報の種別が画像データの場合、データ本体３１０の前にそのデータフォーマット３０６とサイズ３０８といった画像情報が格納される。
【００３９】
次に図６を用いて電話帳取得処理におけるナビゲーション装置と携帯電話との間の通信フロー例について説明する。
まず、Ｓ３００でナビゲーション装置１から携帯電話２に対して電話帳データを含め携帯電話が保有しているデータを取得する為のデータ交換モードへの設定切替えの要求を出力する。
【００４０】
この要求に対して、携帯電話２において対応可能な状態であれば、Ｓ３０２で携帯電話からモード設定して設定OKの応答を返信してくるので、Ｓ３０４でデータ交換の対象である電話帳への接続要求を携帯電話２に対して要求する。
【００４１】
これに対応して携帯電話２から接続ＯＫの応答を返してきたら、Ｓ３０６で予め設定したバッファサイズに応じた量のデータを携帯電話２に対して要求する。
ここで位置登録システムの識別コードや携帯電話に登録したパスワードなどによる認証処理が行なわれることになる。
【００４２】
更に、Ｓ３０６での要求で携帯電話２は電話帳データがまだ残っているかどうかを示す情報（継続又は終了）と共に所定のデータを返してくるので、Ｓ３０８でデータ終了の応答が返ってくるまでこの処理を継続して行なう。
【００４３】
すべてのデータ取得が完了したら、Ｓ３１０で携帯電話２に対して切り離し要求を出力し、Ｓ３１２で携帯電話２から切り離しＯＫの応答が返ってきたら、Ｓ３１４でデータ交換モード解除要求を送出する。
そして携帯電話２からＳ３１６で解除ＯＫの応答が返ってきたら本処理を終了する。
【００４４】
以上説明した実施例においては、少なくとも電話帳データに含まれる固定電話の電話番号により該当する地点を抽出するものだったが、固定電話の電話番号が含まれていなかった場合（例えば、携帯電話の電話番号だけが登録されている場合）は地点登録処理をそのまま終了していた。
【００４５】
これに対して、携帯電話の電話帳データに携帯電話の電話番号に対応した住所データが格納されていないかどうか確認し、格納されていた場合には電話番号の代わりに住所データに該当する地点を検索用データベース（図４参照）から検索し、電話帳の住所データから位置を特定できた場合には、ナビゲーションの登録地点リストに対して、新規に追加登録するという方法を追加して採用できることは言うまでも無い。
【００４６】
この場合には図３(b)のＳ２０４とＳ２０６の間に住所データが存在するかどうかを判断するステップを追加すれば良いものである。
そして、このステップで住所データが存在しない場合はＳ２０６に移行して上述した処理を実行し、住所データが存在する場合はＳ２０８に移行して上述した処理を実行すればよいものである。
【００４７】
次に本発明の一実施例であるナビゲーション装置における電話帳データにより登録された地点登録データの活用例について説明する。
電話帳データを基に登録された地点を含む地図が表示された場合、図５に示した地点登録データの内、アイコン種別２１０で指定されたアイコンが登録された地点に表示される。
【００４８】
ここでカーソルを登録地点の近くに持っていくと、基本情報のみが吹き出し表示され、さらに画面下部に詳細データを表示するかどうかを問い合わせるメッセージが表示される。
そこで、ユーザが詳細表示を希望するとさらに登録に使用した携帯電話の電話番号を問い合わせる表示がされ、所定の番号を入力すると追加情報ＩＤ（〔図５〕３０２）を参照し、合致すれば詳細データ（追加情報）が表示される。
【００４９】
本実施例では誰が使用しても基本情報だけは表示されるようになっているが、地点登録の際に使用した携帯電話の電話番号ごとに登録データを管理し、対応する携帯電話が接続された場合、あるいは対応する携帯電話の電話番号が入力された場合にのみ、登録地点を示すアイコンや電話帳データが表示されるようにしても良いものである。また地図上での表示の他、これらの登録情報は、地点検索や目的地設定時にも参照できるようにしてもいい。
【図面の簡単な説明】
【００５０】
【図１】本発明の地点登録システムと携帯電話の接続例を示す図である。
【図２】本発明の地点登録システムの一実施例であるナビゲーション装置の内部構成を示す図である。
【図３】（ａ）（ｂ）本発明の地点登録システムにおける地点登録処理の流れを示すフローチャート図例である。
【図４】本発明の地点登録システムにおける検索用データベースの構成例を示す図である。
【図５】本発明の地点登録システムにおける地点登録データの構成例を示す図である。
【図６】本発明の地点登録システムと携帯電話間の通信フロー例を示す図である。
【符号の説明】
【００５１】
１‥ナビゲーション装置、２‥携帯電話、３‥ＵＳＢケーブル、４ａ、４ｂ‥ＵＳＢコネクタ（端子）、１０‥演算処理部、１１‥ＣＰＵ、１２‥Ｆｌａｓｈ ＲＯＭ、１３‥ＲＡＭ、２０：外部記憶装置、３０‥センサ部、３１‥方位センサ、３２‥ジャイロ、３３‥車輪速センサ、３４‥Ａ−Ｄ変換器、３５‥カウンタ、４０‥表示部、５０‥ＧＰＳ信号受信部、６０‥入出力部、７０‥バス、８０‥ＵＳＢコントローラ
【図１】
2006023211.tif 000003
【図２】
2006023211.tif 000004
【図３】
2006023211.tif 000005
【図４】
2006023211.tif 000006
【図５】
2006023211.tif 000007
【図６】
2006023211.tif 000008